(57)【要約】  【課題】  カバーフィルムに帯電した静電気による検出電極の焼損を低減することで、信頼性の低下を抑制した入力装置および表示装置を提供することである。  【解決手段】入力装置３は、主面21ａ上に入力領域ＥＩおよび入力領域ＥＩを取り囲むように位置する非入力領域ＥIOを有する基板21と、入力領域ＥＩと重なるように基板21の主面21ａ上に配置された、入力領域ＥＩに近接する入力手段との間での容量の変化を検出する複数の検出電極31と、非入力領域ＥIOと重なる基板21の主面21ａ上に入力領域ＥIを取り囲むように配置された、一定電位に設定された除電用配線33と、複数の検出電極31上から除電用配線33上にかけて配置されたカバーフィルム36とを備えることを特徴とする。【選択図】  図３
2014123171.tif 000002
【特許請求の範囲】
【請求項１】
主面上に入力領域および該入力領域を取り囲むように位置する非入力領域を有する基板と、前記入力領域と重なるように前記基板の前記主面上に配置された、前記入力領域に近接する入力手段との間での容量の変化を検出する複数の検出電極と、前記非入力領域と重なる前記基板の前記主面上に前記入力領域を取り囲むように配置された、一定電位に設定された除電用配線と、複数の前記検出電極上から前記除電用配線上にかけて配置されたカバーフィルムとを備えることを特徴とする入力装置。
【請求項２】
前記基板の前記非入力領域の前記主面上に配置された、複数の前記検出電極の各々に接続された複数の検出用配線をさらに備え、
前記除電用配線は複数の前記検出用配線を取り囲むように配置されている請求項１に記載の入力装置。
【請求項３】
前記カバーフィルムと複数の前記検出電極との間および前記カバーフィルムと前記除電用配線との間に配置された、貫通孔を有する保護膜をさらに備え、
前記貫通孔は前記除電用配線と重なっている請求項１または２に記載の入力装置。
【請求項４】
前記カバーフィルムの外周の一部は前記貫通孔と重なっている請求項３に記載の入力装置。
【請求項５】
請求項１〜４のいずれかに記載の入力装置と、
前記基板の前記主面とは反対側に位置する反対主面に主面を対向させて配置された対向基板と、前記基板および前記対向基板の間に配置された、前記基板の前記主面に像情報を表示するための表示手段とを備える表示装置。
【発明の詳細な説明】
【技術分野】
【０００１】
本発明は、携帯電話、デジタルカメラ、携帯ゲーム機または携帯情報端末などの様々な用途に用いられる入力装置および表示装置に関する。
【背景技術】
【０００２】
入力装置は、主面上に入力領域を有する基板と、入力領域と重なるように基板の主面上に配置されるとともに、入力領域に近接する入力手段との間での容量の変化を検出する複数の検出電極とを備えている（例えば、特許文献１参照）。さらに、このような入力装置では、複数の検出電極を保護するため、複数の検出電極を覆うようにカバーフィルムが配置される。
【０００３】
上記の入力装置では、使用者の指などの入力手段が入力領域へ近づくと、入力手段が近接した領域に位置する複数の検出電極の間で容量が変化し、その容量変化を電圧変化として検出することで、入力位置を特定する。
【先行技術文献】
【特許文献】
【０００４】
【特許文献１】特開２００８−３１０５５１号公報
【発明の概要】
【発明が解決しようとする課題】
【０００５】
しかしながら、このような入力装置では、入力手段とカバーフィルムとの接触によってカバーフィルムに静電気が帯電する場合がある。検出電極は透光性材料からなり、検出電極の抵抗値は高くなりやすい。そのため、カバーフィルムに帯電した静電気が放電し検出電極に過電流が発生すると、検出電極が焼損し、入力位置が特定されず、入力装置の信頼性が低下する可能性があるという問題点があった。
【０００６】
本発明は、上記の問題点に鑑みてなされたものであり、その目的は、カバーフィルムに帯電した静電気による検出電極の焼損を低減することで、信頼性の低下を抑制した入力装置および表示装置を提供することである。
【課題を解決するための手段】
【０００７】
本発明に係る入力装置は、主面上に入力領域および該入力領域を取り囲むように位置する非入力領域を有する基板と、前記入力領域と重なるように前記基板の前記主面上に配置された、前記入力領域に近接する入力手段との間での容量の変化を検出する複数の検出電極と、前記非入力領域と重なる前記基板の前記主面上に前記入力領域を取り囲むように配置された、一定電位に設定された除電用配線と、複数の前記検出電極上から前記除電用配線上にかけて配置されたカバーフィルムとを備えることを特徴とする。
【０００８】
本発明に係る表示装置は、上記入力装置と、前記基板の前記主面とは反対側に位置する反対主面に主面を対向させて配置された対向基板と、前記基板および前記対向基板の間に配置された、前記基板の前記主面に像情報を表示するための表示手段とを備える。
【発明の効果】
【０００９】
本発明に係る入力装置および表示装置によれば、カバーフィルムに帯電した静電気による検出電極の焼損を低減することで、信頼性の低下を抑制できる。
【図面の簡単な説明】
【００１０】
【図１】本発明の第１の実施形態における入力装置および表示装置を表す平面図である。
【図２】図１のＩ−Ｉ線に沿った断面図である。
【図３】図１の入力装置における第１基板の第１主面上に配置された検出電極、検出用配線、除電用配線および第１回路基板を表す平面図である。
【図４】図３のII−II線に沿った断面図である。
【図５】図３のIII−III線に沿った断面図である。
【図６】画素における第２基板の第１主面上に設けられた電極、配線、薄膜トランジスタなど表した平面図である。
【図７】図６のIV−IV線に沿った表示装置の断面図である。
【図８】本発明の第２の実施形態における入力装置および表示装置の要部を示す平面図である。
【図９】図８のＶ−Ｖ線に沿った断面図である。
【図１０】図１の入力装置および表示装置の変形例を示す平面図である。
【発明を実施するための形態】
【００１１】
［第１の実施形態］
本発明の第１の実施形態における表示装置１について、図１〜図７を参照しながら説明する。
【００１２】
表示装置１は、表示パネル２と、入力装置３と、表示パネル２に向けて光を出射する光源装置４と、表示パネル２と光源装置４との間に配置される偏光板５と、入力装置３に接続された第１回路基板６と、表示パネル２に接続された第２回路基板７と、表示パネル２に接続されたドライバＩＣ８とを備えている。
【００１３】
本実施形態における表示パネル２は、表示領域ＥＤに像情報を表示するための表示手段として、信号電極と共通電極との間で電界を発生させて液晶層中の液晶分子の方向を制御することで、画素Ｐ毎に光源装置４からの光の透過率を調整して表示領域ＥＤに像を表示させる液晶表示手段を採用している。
【００１４】
また、本実施形態における液晶表示手段は、一対の基板のうち一方の基板に設けられた信号電極と共通電極との間で電界を発生させて液晶層中の液晶分子の方向を制御する、いわゆる横電界方式を採用している。なお、本実施形態における表示パネル２の液晶表示手段は横電界方式を採用しているが、これに限定されるものではなく、いかなる方式であってもよい。例えば縦電界方式を採用してもよい。
【００１５】
また、本発明の表示パネル２の表示手段は、液晶表示手段に限定されるものではなく、プラズマ、エレクトロルミネセンスまたは発光ダイオードなどを用いた表示手段であってもよい。
【００１６】
表示パネル２は、第１基板21と第２基板22とが対向配置され、第１基板21と第２基板22との間に液晶層23が設けられているとともに、この液晶層23を取り囲むように第１基板21と第２基板22とを接合するシール材24が設けられている。
【００１７】
第１基板21は、複数の画素Ｐからなる表示領域ＥＤ、表示領域ＥＤに重なる入力領域ＥＩおよび入力領域ＥＩの外側に位置する非入力領域ＥIOを有する第１主面21ａと、第１主面21ａとは反対側に位置する第２主面21ｂとを有している。第１基板21の材料は、透光性を有するものが挙げられ、例えばガラスなどである。なお、第１基板21は、入力装置３の基板および表示パネル２の基板として兼用されている。
【００１８】
入力装置３では、第１基板21と、Ｘ方向およびＹ方向に沿って配列して第１基板21の第１主面21ａ上に設けられた複数の検出電極31と、第１基板21の第１主面21ａ上に設けられた除電用配線33および複数の検出用配線32と、Ｘ方向に配列する複数の検出電極31とＹ方向に配列する複数の検出電極31とを絶縁する第１絶縁膜34と、第１絶縁膜34上に設けられた第２絶縁膜35と、第２絶縁膜35上に設けられたカバーフィルム36とを備える。
【００１９】
複数の検出電極31は、入力領域ＥＩにおける第１基板21の第１主面21ａ上に設けられている。検出電極31は、複数のひし形状の検出部31ａおよび隣り合う検出部31ａを接続する接続部31ｂを有する。なお、検出部31ａの形状は特に限定されない。複数の検出部31ａが接続部31ｂによってＹ方向に接続されてなる検出電極31はＸ方向に配列されている。また、複数の検出部31ａが接続部31ｂによってＸ方向に接続されてなる検出電極31はＹ方向に配列されている。Ｘ方向に配列された検出電極31とＹ方向に配列された検出電極31とは交差している。具体的には、Ｘ方向に配列された検出電極31の接続部31ｂとＹ方向に配列された検出電極31の接続部31ｂとが交差している。なお、検出電極31において、接続部31ｂの面積は検出部31ａの面積に比べて小さい。
【００２０】
Ｘ方向に配列する複数の検出電極31は第１絶縁膜34に設けられている。また、Ｙ方向に配列する検出電極31の接続部31ｂは第１基板21の第１主面21ａに設けられているとともに、Ｙ方向に配列する検出電極31の検出部31ａは第１絶縁膜34に設けられている。なお、第１基板21の第１主面21ａに位置する接続部31ｂと第１絶縁膜34に位置する検出部31ａとは、第１絶縁膜34を貫通するコンタクトホールＣを介して接続されている。
【００２１】
すなわち、Ｘ方向に配列する検出電極31とＹ方向に配列する検出電極31とは第１絶縁膜34を介して立体交差することで、両者は電気的に絶縁されている。
【００２２】
検出電極31の材料としては、透光性および導電性を有するものが挙げられ、例えばＩＴＯ（Indium Tin Oxide）、ＩＺＯ（Indium Zinc Oxide）、ＡＴＯ（Antimony Tin Oxide
）、ＡＺＯ（Al-Doped Zinc Oxide）、酸化錫、酸化亜鉛または導電性高分子によって形
成される。
【００２３】
検出用配線32は第１基板21の第１主面21ａ上に設けられている。複数の検出用配線32は非入力領域ＥIOに配置されている。検出用配線32は、一端部が検出電極31に接続されているとともに、他端部が第１回路基板６に接続されている。検出用配線32の材料としては、導電性を有するものが挙げられ、例えば、ＩＴＯ、酸化錫、アルミニウム、アルミニウム合金、銀または銀合金などである。
【００２４】
除電用配線33は第１基板21の第１主面21ａ上に設けられている。除電用配線33は非入力領域ＥIOに配置されている。除電用配線33は入力領域ＥＩを取り囲むように配置されている。さらに、本実施形態の除電用配線33は複数の検出用配線32を取り囲むように配置されている。すなわち、除電用配線33は複数の検出電極31および複数の検出用配線32の外側に位置している。なお、図１において、除電用配線33は斜線で示されている（図３、図８および図１０でも同様）。
【００２５】
除電用配線33は、一端部および他端部が第１回路基板６に接続されている。また、除電用配線33は、例えば入力装置３のグランド電位、表示パネル２の第２回路基板７のグランド電位または表示装置１を搭載する機器のグランド電位などの一定電位に設定されている。なお、除電用配線33は、検出電極31および検出用配線32に接触していない。すなわち、除電用配線33は検出電極31および検出用配線32と電気的に絶縁されている。
【００２６】
また、除電用配線33は下層除電用配線33ａおよび上層除電用配線33ｂを有している。下層除電用配線33ａは第１基板21の第１主面21ａに設けられている。下層除電用配線33ａは検出用配線32と同じ材料で形成してもよい。また、第１絶縁膜34は下層除電用配線33ａの形成領域に重なるように貫通孔34ａを有している。また、貫通孔34ａには上層除電用配線33ｂの一部が位置しており、上層除電用配線33ｂの他部は第１絶縁膜34に位置している。貫通孔34ａ内に位置する上層除電用配線33ｂの一部が下層除電用配線33ａに接触することで、上層除電用配線33ｂと下層除電用配線33ａとは接続される。なお、上層除電用配線33ｂは、導電性材料で形成され、例えばＩＴＯ、ＩＺＯなどの酸化物導電材料などで形成される。
【００２７】
第１絶縁膜34は交差する検出電極31同士を電気的に絶縁する機能を有する。第１絶縁膜34は、Ｙ方向に配列する検出電極31の接続部31ｂおよび検出用配線32を覆うように第１基板21の第１主面21ａ上に設けられている。第１絶縁膜34の材料としては、透光性および絶縁性を有するものが挙げられ、例えば、アクリル樹脂などである。
【００２８】
第２絶縁膜35は、Ｘ方向に配列する検出電極31およびＹ方向に配列する検出電極31の検出部31ａを覆うように第１絶縁膜34上に設けられている。第２絶縁膜35は入力領域ＥＩおよび非入力領域ＥIOに設けられている。
【００２９】
カバーフィルム36は、第１基板21上に設けられた部材を保護する機能を有している。カバーフィルム36は入力領域ＥＩおよび非入力領域ＥIOに設けられている。また、カバーフィルム36は表示領域ＥＤにも配置されている。また、カバーフィルム36は複数の検出電極31上から検出用配線32上および除電用配線33上にかけて配置されている。カバーフィルム36はポリエチレンテレフタレート（ＰＥＴ）などのポリエステルフィルムによって形成されている。なお、本実施形態におけるカバーフィルム36は偏光板としての機能も有している。
【００３０】
入力装置３では、入力領域ＥＩを取り囲むように配置されるとともに、一定電位に設定された除電用配線33が設けられている。これによって、カバーフィルム36に静電気が帯電した場合でも、帯電した静電気が除電用配線33へ放電しやすくなるので、静電気が検出電極31または検出用配線32へ放電することを低減でき、検出電極31に過電流が発生することを抑制できる。したがって、検出電極31が焼損することを低減でき、入力装置３の信頼性の低下を抑制できる。
【００３１】
また、入力装置３では、除電用配線33が複数の検出用配線32を取り囲むように配置されている。すなわち、除電用配線33が複数の検出用配線32の外側に位置している。これによって、外部からの電界または表示パネル２から発生する電界が除電用配線33によって吸収されるので、検出用配線32にノイズが発生することを低減でき、入力位置の検出精度が向上する。
【００３２】
また、入力装置３では、除電用配線33は、金属材料からなる下層除電用配線33ａおよび酸化物導電材料からなる上層除電用配線33ｂを有している。すなわち、下層除電用配線33ａが上層除電用配線33ｂで覆われているので、上層除電用配線33ｂによって下層除電用配線33ａが大気中に含まれる水分を吸収することを低減でき、下層除電用配線33ａが腐食することを低減できる。
【００３３】
また、入力装置３では、下層除電用配線33ａおよび検出用配線32が同じ面上に配置されているとともに、下層除電用配線33ａおよび検出用配線32が同じ材料で形成されている。すなわち、入力装置３では、下層除電用配線33ａと検出用配線32とを同一の成膜工程およびパターニング工程で形成することができるので、入力装置３の製造工程を簡略化できる
。
【００３４】
次に、入力位置の検出原理について説明する。
【００３５】
第１基板21の第１主面21ａ上には、入力領域ＥＩにおいて複数の検出電極31がＸ方向およびＹ方向に配列されており、隣接する検出部31ａ間では浮遊容量が発生する。例えば、Ｘ方向に配列する複数の検出電極31をグランドなどの一定電位に設定し、Ｙ方向に配列する複数の検出電極31に信号電圧を印加すると、隣接する検出部31ａの容量間で電界が発生する。この状態で、使用者の指などの入力手段が入力領域ＥＩへ近づくと、入力手段が近接した領域に位置する複数の検出部31ａの間で電界の大きさが変化する。この変化は電圧変化として検出手段であるコントローラ（不図示）によって読み取られる。コントローラは所定値を超えた電圧変化をした複数の検出部31ａを認識し、認識した複数の検出部31ａが配置された領域が入力位置として特定される。
【００３６】
第１基板21の第２主面21ｂ上には、遮光膜211およびカラーフィルタ212が設けられている。
【００３７】
遮光膜211は光を遮る機能を有する。遮光膜211は、第１基板21の第２主面21ｂ上に設けられている。また。遮光膜211は、画素Ｐの外周に沿って格子状に設けられており、すな
わち、ゲート配線221およびソース配線223に平面視して重なるように設けられている。なお、本実施形態における遮光膜211は第２主面21ｂ上に格子状に形成されているが、これ
には限られない。遮光膜211の材料は、例えば、遮光性の高い色（例えば黒色）の染料も
しくは顔料が添加された樹脂、またはクロムなどの金属が挙げられる。
【００３８】
カラーフィルタ212は、可視光のうち特定の波長光のみを透過させる機能を有する。複
数のカラーフィルタ212は、第１基板21の第２主面21ｂ上に位置しており、画素Ｐ毎に設
けられている。各カラーフィルタ212は、赤（Ｒ）、緑（Ｇ）および青（Ｂ）のいずれか
の色を有している。また、カラーフィルタ212は、上記の色に限られず、例えば、黄色（
Ｙ）、白（Ｗ）などの色を有してもよい。カラーフィルタ212の材料としては、例えば染
料または顔料を添加した樹脂が挙げられる。
【００３９】
第２基板22は、第１基板21の第２主面21ｂに対向する第１主面22ａと、第１主面22ａの反対側に位置する第２主面22ｂとを有している。第２基板22は第１基板21と同様の材料で形成できる。
【００４０】
第２基板22の第１主面22ａ上には、複数のゲート配線221が設けられており、複数のゲ
ート配線221を覆うようにゲート絶縁膜222が設けられている。このゲート絶縁膜222上に
は複数のソース配線223が設けられているとともに、複数のソース配線223を覆うように平坦化膜224が設けられている。また、平坦化膜224上には共通電極225が設けられている。
共通電極225を覆うように平坦化膜224上には層間絶縁膜226が設けられており、この層間
絶縁膜226上には複数の信号電極227が設けられている。
【００４１】
ゲート配線221は、ドライバＩＣ８から供給される電圧を薄膜トランジスタTFTに印加する機能を有する。図６に示すように、複数のゲート配線221はＹ方向に沿って配列されて
いる。また、ゲート配線221は線状であって、Ｘ方向に沿って延在している。
【００４２】
ゲート絶縁膜222はゲート配線221を覆うように第１主面22ａ上に設けられている。ゲート絶縁膜222は、窒化シリコン、酸化シリコンなどの絶縁性を有する材料によって形成さ
れる。なお、ゲート絶縁膜222は、上記のスパッタリング法、蒸着法または化学気相成長
法などによって第２基板22の第１主面22ａ上に形成できる。
【００４３】
ソース配線223は、ドライバＩＣ８から供給される信号電圧を薄膜トランジスタTFTを介して信号電極227に印加する機能を有する。ソース配線223はゲート絶縁膜222上に設けら
れている。図６に示すように、複数のソース配線223は線状に形成されているとともに、
Ｙ方向に延在している。また、複数のソース配線223はＸ方向に沿って配列されている。
ソース配線223はゲート配線221と同様の材料で形成してもよい。
【００４４】
なお、画素Ｐとは、複数のゲート配線221と複数のソース配線223とによって囲まれた領域をいう。
【００４５】
薄膜トランジスタTFTは、非晶質シリコン、多結晶シリコンまたは酸化物半導体などの
半導体層と、この半導体層上に設けられるとともに、ソース配線223に接続されたソース
電極と、ドレイン電極とを有する。薄膜トランジスタTFTでは、ゲート配線221を介して半導体層に印加される電圧に応じてソース電極およびドレイン電極間の半導体層の抵抗が変化することで、信号電極227への画像信号の書き込みまたは非書き込みが制御される。
【００４６】
平坦化膜224はソース配線223を覆うようにゲート絶縁膜222上に設けられている。平坦
化膜224は有機材料によって形成され、例えば、アクリル系樹脂、エポキシ系樹脂または
ポリイミド系樹脂などの樹脂で形成される。なお、平坦化膜224の膜厚は例えば１μｍ〜
５μｍの範囲で設定されている。
【００４７】
共通電極225は、ドライバＩＣ８から印加された電圧によって信号電極227との間で電界を発生させる機能を有する。共通電極225は平坦化膜224上に設けられている。共通電極225は、透光性および導電性を有する材料によって形成され、例えばＩＴＯ、ＩＺＯ、ＡＴＯ、ＡＺＯ、酸化錫、酸化亜鉛または導電性高分子によって形成される。
【００４８】
層間絶縁膜226は、信号電極227と共通電極225とを電気的に絶縁する機能を有する。層
間絶縁膜226はゲート絶縁膜222と同様の材料で形成してもよい。
【００４９】
信号電極227は、ドライバＩＣ８から印加された信号電圧によって共通電極225との間で電界を発生させる機能を有する。複数の信号電極227は層間絶縁膜226上に設けられている。各信号電極227には開口が形成されている。なお、信号電極227は共通電極225と同様の材料で形成してもよい。
【００５０】
液晶層23は、第１基板21と第２基板22との間に設けられている。液晶層23は、ネマティック液晶などを含んでいる。
【００５１】
シール材24は第１基板21と第２基板22とを貼り合わせる機能を有する。シール材24は第１基板21と第２基板22との間に設けられている。シール材24は表示領域ＥＤと重なる領域を取り囲むように設けられている。シール材24はエポキシ樹脂などによって形成される。
【００５２】
第１回路基板６は、異方性導電膜などの導電性接合部材を介して第１基板21上に位置する検出用配線32および除電用配線33に接続されている。
【００５３】
第２回路基板７は、異方性導電膜などの導電性接合部材を介して第２基板22に接続されている。第２回路基板７はその一部が第２基板22と対向している。
【００５４】
光源装置３は、表示パネル２に向けて光を出射する機能を有する。光源装置３は、光源31と、導光板32とを有している。なお、本実施形態における光源装置３では、光源31にＬＥＤなどの点光源を採用しているが、冷陰極管などの線光源を採用してもよい。
【００５５】
偏光板５は、所定の振動方向の光を選択的に透過させる機能を有する。この偏光板５は、第２基板22の第２主面22ｂに対向するように配置されており、カバーフィルム36と重なっている。
【００５６】
ドライバＩＣ８は、ゲート配線221、ソース配線223などの駆動を制御する機能を有する。ドライバＩＣ８は第２基板22の第１主面22ａ上に設けられている。本実施形態では、ゲート配線221用のドライバＩＣ８と、ソース配線223用のドライバＩＣ８との２つのドライバＩＣが設けられている。
【００５７】
表示装置１では、入力装置３を備えているので、入力装置３で説明した効果と同様の効果を奏している。
【００５８】
［第２の実施形態］
図８および図９は、第２の実施形態における表示装置１Ａの要部を表す図である。
【００５９】
表示装置１Ａは、表示装置１に比べて下記点が異なる。
【００６０】
第２絶縁膜35は貫通孔35ａを有しており、この貫通孔35ａは除電用配線33と重なるように位置している。なお、図８において、貫通孔35ａの形成領域は除電用配線33上の白抜きで表された領域である。
【００６１】
本実施形態における貫通孔35ａは、複数の検出電極31および複数の検出用配線32を取り囲むように形成されている。なお、貫通孔35ａは除電用配線33に重なっていればよく、例えば、除電用配線33の角部と重なる領域にのみ形成してもよい。これによって、除電用配線33の第２絶縁膜35からの露出面積を小さくできるので、例えばカレットなどによって除電用配線33が損傷することを低減できる。さらに、除電用配線33が大気中に含まれる水分を吸収することを低減でき、除電用配線33が腐食することを低減できる。
【００６２】
入力装置３では、第２絶縁膜35は貫通孔35ａを有しており、この貫通孔35ａは除電用配線33と重なるように位置している。これによって、貫通孔35ａ内に位置する除電用配線33とカバーフィルム36との間に第２絶縁膜35が介在せず、カバーフィルム36に帯電した静電気を除電用配線33へ放電しやすくなる。
【００６３】
また、入力装置３では、第２絶縁膜35の貫通孔35ａが除電用配線33と重なることで、除電用配線33は露出するが、下層除電用配線33ａが上層除電用配線33ｂで覆われているので、上層除電用配線33ｂによって下層除電用配線33ａが大気中に含まれる水分を吸収することを低減でき、下層除電用配線33ａが腐食することを低減できる。
【００６４】
さらに、入力装置３では、カバーフィルム36の外周の一部が第２絶縁膜35の貫通孔35ａ内に位置する除電用配線33に重なっている。これによって、カバーフィルム36の中央部から拡散して外周に集まった静電気をカバーフィルム36の外周から除電用配線33へ放電しやすくなる。
【００６５】
本発明は第１および第２の実施形態に特に限定されるものではなく、本発明の範囲内で種々の変更および改良が可能である。
【００６６】
表示装置１，１Ａでは、除電用配線33は複数の検出用配線32の外側に配置されているが、これには限られない。すなわち、図10に示すように、除電用配線33は複数の検出電極31を取り囲んでいればよい。なお、この場合には、除電用配線33と検出用配線32とは絶縁膜によって電気的に絶縁される。
【００６７】
また、表示装置１，１Ａでは、第１基板21は、入力装置３の基板および表示パネル２の基板として兼用されているが、これには限られない。すなわち、入力装置３の基板を別部材として備えてもよい。
【符号の説明】
【００６８】
１、１Ａ  表示装置
２  表示パネル
ＥＤ  表示領域
Ｐ  画素
ＥＩ  入力領域
ＥIO  非入力領域
21  第１基板
21ａ  第１主面（主面）
21ｂ  第２主面（反対主面）
３  入力装置
31  検出電極
31ａ  検出部
31ｂ  接続部
32  検出用配線
33  除電用配線
33ａ  上層除電用配線
33ｂ  下層除電用配線
34  第１絶縁膜
35  第２絶縁膜（保護膜）
36  カバーフィルム
211  遮光膜
212  カラーフィルタ
22  第２基板
22ａ  第１主面（主面）
22ｂ  第２主面
221  ゲート配線
222  ゲート絶縁膜
223  ソース配線
224  平坦化膜
225  共通電極
226  層間絶縁膜
227  信号電極
TFT  薄膜トランジスタ
23  液晶層
24  シール材
４  光源装置
41  光源
42  導光板
５  偏光板
６  第１回路基板
７  第２回路基板
８  ドライバＩＣ
【図１】
2014123171.tif 000003
【図２】
2014123171.tif 000004
【図３】
2014123171.tif 000005
【図４】
2014123171.tif 000006
【図５】
2014123171.tif 000007
【図６】
2014123171.tif 000008
【図７】
2014123171.tif 000009
【図８】
2014123171.tif 000010
【図９】
2014123171.tif 000011
【図１０】
2014123171.tif 000012